(57)【特許請求の範囲】
【請求項１】
所要数の蓄電要素を積層状に備える蓄電装置において、蓄電要素の積層方向へ複数の開口部が配列される絶縁板と、絶縁板の隣合う開口部の各相互間を桁部にその板厚を挟む具合に係合されるコマと、隣合う桁部のコマに跨る連結板と、複数の蓄電要素の電極をコマに重ね合わせて連結板を介して締め付ける手段と、を備えたことを特徴とする蓄電装置の電極構造。
【請求項２】
蓄電要素の電極をコマに連結板を介して締め付ける手段は、コマにその桁部への係合方向と直交する方向に開口されるネジ穴と、このネジ穴に螺合する締付ボルトと、桁部およびコマをネジ穴と同軸的に貫通する締付ボルト用の挿入穴と、を備えたことを特徴とする請求項１の記載に係る蓄電装置の電極構造。
【請求項３】
蓄電要素としてキャバシタを用いたことを特徴とする請求項１の記載に係る蓄電装置の電極構造。
【発明の詳細な説明】
【０００１】
【発明の属する技術分野】
この発明は、所要数の蓄電要素を備える蓄電装置の電極構造に関する。
【０００２】
【従来の技術】
蓄電装置において、外装容器（ケース）に数多くのコンデンサ素子を積層状に収容したものがある（特開平１０−５０５５５号、参照）。容器に１対の電極端子が配置され、隣接するコンデンサ素子から構成される基本セルについて、各電極は同極どうしに束ねられ、容器の各電極端子（陽極端子と陰極端子）に接続される。各電極を束ねる先端部に穴が設定され、これを電極端子の接続部に挿通し、金属製のＯリングを嵌め付け、中空の接続部をカシメることにより、電極端子に各セルの電極を連結する構造になっている。
【０００３】
【発明が解決しようとする課題】
このような従来例においては、電極端子に各電極を所定の締付力（面圧）にカシメるのが難しく、また各電極と電極端子との距離（延長リードの長さ）が異なり、各端子電圧にバラツキを生じやすい。容量が一定の蓄電要素を用いる場合、所要容量の蓄電装置を構成するため、数多くの蓄電要素を並列および直列の組み合わせにより接続することが考えられるが、既述の開示内容においては、適確な対応が容易でない。
【０００４】
この発明は、蓄電装置を所要容量に構成するため、数多くの蓄電要素を並列および直列の組み合わせにより接続する場合に有効な電極構造の提供を目的とする。
【０００５】
【課題を解決するための手段】
第１の発明では、所要数の蓄電要素を積層状に備える蓄電装置において、蓄電要素の積層方向へ複数の開口部が配列される絶縁板と、絶縁板の隣合う開口部の各相互間を桁部にその板厚を挟む具合に係合されるコマと、隣合う桁部のコマに跨る連結板と、複数の蓄電要素の電極をコマに重ね合わせて連結板を介して締め付ける手段と、を備えたことを特徴とする。
【０００６】
第２の発明では、第１の発明に係る蓄電装置の電極構造において、蓄電要素の電極をコマに連結板を介して締め付ける手段は、コマにその桁部への係合方向と直交する方向に開口されるネジ穴と、このネジ穴に螺合する締付ボルトと、桁部およびコマをネジ穴と同軸に貫通する締付ボルト用の挿入穴と、を備えたことを特徴とする。
【０００７】
第３の発明では、第１の発明に係る蓄電装置の電極構造において、蓄電要素としてキャバシタを用いたことを特徴とする。
【０００８】
【発明の効果】
第１の発明では、各桁部に係合するコマに複数の電極を重ね合わせて連結板を介して締め付けることにより、所要数の蓄電要素について、直列と並列を組み合わせる接続状態が容易に得られる。たとえば、桁部を間に隣接する１組の蓄電要素について、これら電極の同極どうしをコマに重ね合わせると、互いに並列の接続状態となり、隣合う桁部のコマに跨る連結板で重なり合う電極の異極どうしを締め付けると、これら並列状態の前後が直列に接続されることになる。
【０００９】
また、蓄電要素の電極がアルミ泊のような薄板であっても、コマに連結板を介して締め付けるので、電極に損傷を与える可能性も少ない。しかも、連結板の締着力により、電極間の接触抵抗も小さく抑えられ、桁部を挟む１組の蓄電要素の電極をコマに重ね合わせることにより、各蓄電要素の電極長（コマへの延び量）も均等化されるので、品質（容量のバラツキなどの面）が向上する。また、部品（コマと連結板など）数が少なく、コスト的な利点も得られる。
【００１０】
第２の発明では、連結板と桁部およびコマの挿入穴を貫通する締付ボルトをコマのネジ穴に螺合することにより、連結板と共にコマも桁部に固定され、締付ボルトでコマの脱落も簡便に防止できる。
【００１１】
第３の発明では、所要数のキャパシタにより、容量の大きな蓄電装置を実現可能となる。
【００１２】
【発明の実施の形態】
図はこの発明の実施形態を表すものであり、図１において、ケース１（外装容器）に多数のキャパシタ２が積層状に収容される。ケース１上面はキャパシタ２の出し入れのために開放され、この開放口を仕切る絶縁板３が設けられる。絶縁板３は、カバー４と共にビスでケース１上面の開放縁に取り付けられる。そして、キャパシタ２の電極５（陽極および陰極）を後述のように接続するため、絶縁板３にコマ６および連結板７が組み付けられる。
【００１３】
絶縁板３は、図２のように矩形状の開口部８がキャパシタ２の積層方向へこれらの両側の電極５に１列ずつ対応するように形成される。各列の開口部８は、１組のキャバシタ２ごとにこれらの電極５が容易に引き出せる大きさに形成される。各列の開口部８と開口部８との間は桁部９（キャパシタ１つ分の厚みよりもやや小幅）に設定される。
【００１４】
図３および図４において、コマ６は断面Ｕ字状に形成され、その両辺部６ａ、６ｂ（断面Ｕ字状の対向辺）を介して各桁部９にその板厚を挟む具合に係合される。両辺部６ａ，６ｂに貫通穴１０（締付ボルトの挿入穴）が形成され、両辺の片側６ｂにボルト穴１０と同軸的に開口するネジ穴１１を持つボス１２が突設される。連結板７は長尺状に形成され、２個のコマ６（同じ列または異なる列で隣合う桁部９に係合する）に跨る長さに設定される。
【００１５】
桁部９を間に隣接する１組の蓄電要素２において、各列の桁部９に係合するコマ６にそれぞれ両側からキャパシタ２の電極５が重なり合うように掛けられる。各キャバシタ２の電極５は、アルミ泊のような薄板の帯状に形成され、コマ６の貫通穴１０およびネジ穴１１に対応する貫通穴１３（締付ボルトの挿入穴）が形成される。また、絶縁板３の各桁部９および連結板７の両端部についても、同様の貫通穴１４，１５（締付ボルトの挿入穴）が形成される。
【００１６】
連結板７は、２個のコマ６に跨る状態に設置される。各桁部９において、その貫通穴１４、コマ６の貫通穴１０、各電極５の貫通穴１３、連結板７の貫通穴１５、に締付ボルト１６を挿入してコマ６のネジ穴１１に螺合することにより、コマ６と連結板７との間に重なり合う電極５（重合電極）が締め付けられるのである。
【００１７】
たとえば、図５のように所要数のキャパシタ２を並列および直列に接続する場合、桁部９を間に隣接する１組のキャパシタ２における電極の同極どうしがコマ６に重ね合わされ、これら重合電極５の異極どうしが２個のコマ６に跨る連結板７を介して接続される。連結板７は、同じ列で隣合うコマ６の重合電極５が異極どうしの場合、同じ列に隣合うコマ６に跨る長さに設定され、同じ列で隣合うコマ６の重合電極５が同極どうしの場合、異なる列に隣合うコマ６（重合電極５は異極どうしになる）に跨る長さに設定される。
【００１８】
このような構成に基づいて、各桁部９に係合するコマ６に複数の電極５を重ね合わせて２個のコマ６に跨る連結板７を介して締め付けることにより、所要数のキャパシタ２については、並列と直列を組み合わせる接続状態が容易に得られる。連結板７と桁部９およびコマ６を貫通する締付ボルト１６をコマ６のネジ穴１１に螺合するので、連結板７と共にコマ６も桁部９に固定され、締付ボルト１６でコマ６の脱落も簡便に防止できる。
【００１９】
キャパシタ２の電極５がアルミ泊のような薄板であっても、コマ６に連結板７を介して締め付けるので、電極５に損傷を与える可能性も少ない。しかも、連結板７の締付力により、電極間の接触抵抗も小さく抑えられ、桁部９を間に隣接する１組のキャパシタ２の電極５をコマ６に重ね合わせることにより、各キャパシタ２の電極長（コマ６への延び量）も均等化されるので、品質（容量のバラツキなどの面）が向上する。また、部品（コマ６と連結板７など）数が少なく、コスト的な利点も得られる。
【００２０】
なお、キャパシタ２の接続状態は、図５に限定されるものでなく、必要に応じて並列の個数などを変更してもよい。
【図面の簡単な説明】
【図１】第１の実施形態を表す蓄電装置の断面図である。
【図２】同じく絶縁板の説明図である。
【図３】同じく電極構造の断面図である。
【図４】同じく電極構造の分解斜視図である。
【図５】同じく蓄電装置の内部配線図である。
【符号の説明】
２  キャパシタ
３  絶縁板
５  電極
６  コマ
７  連結板
８  開口部
９  桁部
１０，１３，１４，１５  貫通穴（締付ボルトの挿入穴）
１１  ネジ穴
１６  締付ボルト
【図１】
0003869183.tif 000002
【図２】
0003869183.tif 000003
【図３】
0003869183.tif 000004
【図４】
0003869183.tif 000005
【図５】
0003869183.tif 000006